(57)【特許請求の範囲】
【請求項１】
少なくとも１つのプロセッサと、コンピュータプログラムコードを含む少なくとも１つのメモリとを備えた装置であって、前記少なくとも１つのメモリ及び前記コンピュータプログラムコードは、前記少なくとも１つのプロセッサと共に、
無線ベアラのパケットデータ層収束プロトコル（ＰＤＣＰ）重複がデアクチベートされていると判定することであって、ＰＤＣＰ重複のために構成された無線ベアラが、無線リンク制御（ＲＬＣ）と重複ＲＬＣとに関連することと、
前記無線ベアラのＰＤＣＰ重複のデアクチベーションに応答して、前記重複ＲＬＣに関連するバッファ内のデータが前記無線ベアラの重複ＲＬＣに関連する論理チャネル上で前記無線ベアラのオリジナルＲＬＣに関連する少なくとも１つのアクティブセルに送信されるように、前記論理チャネルを前記少なくとも１つのアクティブセルにマッピングすることと、
を前記装置に少なくとも行わせるように構成される、
ことを特徴とする装置。
【請求項２】
前記少なくとも１つのメモリ及び前記コンピュータコードは、前記少なくとも１つのプロセッサと共に、前記ＰＤＣＰ重複のデアクチベーション後に前記バッファが送信すべきデータを有しているかどうかを判定することを前記装置に行わせるように構成される、
請求項１に記載の装置。
【請求項３】
前記少なくとも１つのアクティブセルは、プライマリセル及びセカンダリセルの少なくとも一方を含む、
請求項１に記載の装置。
【請求項４】
前記少なくとも１つのメモリ及び前記コンピュータコードは、前記少なくとも１つのプロセッサと共に、前記重複ＲＬＣに関連する前記バッファ内の前記データを、該データが全て送信されるまで、又は前記ＰＤＣＰ重複が再アクチベートされるまで送信することを前記装置に行わせるように構成される、
請求項１から３のいずれかに記載の装置。
【請求項５】
無線ベアラのＰＤＣＰ重複がデアクチベートされたとの判定は、重複ＲＬＣに関連する複数のアクティブセルが全てデアクチベートされたことに応答する、
請求項１に記載の装置。
【請求項６】
請求項１から５までのいずれかに記載の装置を備える、
ことを特徴とするユーザ装置（ＵＥ）。
【請求項７】
無線ベアラのパケットデータ層収束プロトコル（ＰＤＣＰ）重複がデアクチベートされていると判定するステップであって、ＰＤＣＰ重複のために構成された無線ベアラが、無線リンク制御（ＲＬＣ）と重複ＲＬＣとに関連するステップと、
前記無線ベアラのＰＤＣＰ重複のデアクチベーションに応答して、前記重複ＲＬＣに関連するバッファ内のデータが前記無線ベアラの重複ＲＬＣに関連する論理チャネル上で前記無線ベアラのオリジナルＲＬＣに関連する少なくとも１つのアクティブセルに送信されるように、前記論理チャネルを前記少なくとも１つのアクティブセルにマッピングするステップと、
を含むことを特徴とする方法。
【請求項８】
前記ＰＤＣＰ重複のデアクチベーション後に、前記バッファが送信すべきデータを有しているかどうかを判定するステップを含む、
請求項７に記載の方法。
【請求項９】
前記重複ＲＬＣに関連する前記バッファ内の前記データが、該データが全て送信されるまで、又は前記ＰＤＣＰ重複が再アクチベートされるまで送信されるようにするステップを含む、
請求項７又は８に記載の方法。
【請求項１０】
実行時に請求項７から９のいずれかに記載の方法が実行されるようにするコンピュータ実行可能コードを含む、
ことを特徴とするコンピュータプログラム。
【発明の詳細な説明】
【技術分野】
【０００１】
本開示は、方法及び装置に関し、具体的には、キャリアアグリゲーション及びリンクの重複を有する方法及び装置に関する。
【背景技術】
【０００２】
通信システムは、通信装置間で情報を伝達する通信チャネルを提供することによってユーザ端末、機械様端末、基地局及び／又はその他のノードなどの２又は３以上の装置間の通信を可能にする設備であると考えることができる。通信システムは、例えば通信ネットワークと、１又は２以上の互換通信装置とによって実現することができる。通信は、例えば音声通信、電子メール（ｅメール）通信、テキストメッセージ通信、マルチメディア通信及び／又はコンテンツデータ通信のためのデータを運ぶデータ通信を含むことができる。提供されるサービスの非限定的な例としては、双方向又は多方向通話、データ通信又はマルチメディアサービス、及びインターネットなどのデータネットワークシステムへのアクセスが挙げられる。
【０００３】
無線システムでは、通信の少なくとも一部が無線インターフェイスを介して行われる。無線システムの例としては、公衆陸上移動体ネットワーク（ＰＬＭＮ）、衛星通信システム、及び、例えば無線ローカルエリアネットワーク（ＷＬＡＮ）などの様々な無線ローカルネットワークが挙げられる。装置をデータネットワークに接続可能にするローカルエリア無線ネットワーキング技術は、Ｗｉ−Ｆｉ（又はＷｉ−Ｆｉ）という商標名で知られている。Ｗｉ−Ｆｉは、しばしばＷＬＡＮと同義的に使用される。無線システムはセルに分割することができ、従ってしばしばセルラーシステムと呼ばれる。少なくとも１つのセルは基地局によって提供される。
【０００４】
ユーザは、基地局と通信できる適切な通信装置又は端末を使用して通信システムにアクセスすることができる。従って、基地局のようなノードは、しばしばアクセスポイントと呼ばれる。ユーザの通信装置は、しばしばユーザ装置（ＵＥ）と呼ばれる。通信装置は、例えば基地局との通信及び／又は他のユーザ装置との直接通信などの通信を可能にする適切な信号送受信装置を備える。通信装置は、適切なチャネル上で通信し、例えばセルの基地局などの局が送信を行うチャネルをリスンすることができる。
【０００５】
通常、通信システム及び関連する装置は、システムに関連する様々なエンティティが何をすることができるか、及びいかにしてそれを行うべきかを示す所与の標準又は仕様に従って動作する。通常は、接続に使用すべき通信プロトコル及び／又はパラメータも定められる。標準化された無線アクセス技術の例としては、ＧＳＭ（登録商標）（グローバル・システム・フォー・モバイル）、ＥＤＧＥ（Ｅｎｈａｎｃｅｄ  Ｄａｔａ  ｆｏｒ  ＧＳＭ  Ｅｖｏｌｕｔｉｏｎ）、無線アクセスネットワーク（ＧＥＲＡＮ）、ユニバーサル地上波無線アクセスネットワーク（ＵＴＲＡＮ）、及び進化型ＵＴＲＡＮ（Ｅ−ＵＴＲＡＮ）が挙げられる。通信システムアーキテクチャの例には、ユニバーサル移動体電気通信システム（ＵＭＴＳ）無線アクセス技術のロングターム・エボリューション（ＬＴＥ）がある。ＬＴＥは、第３世代パートナーシッププロジェクト（３ＧＰＰ）によって標準化されている。ＬＴＥは、進化型ユニバーサル地上波無線アクセスネットワーク（Ｅ−ＵＴＲＡＮ）アクセス、及びそのさらなる発展形であるＬＴＥ  Ａｄｖａｎｃｅｄ（ＬＴＥ−Ａ）としても知られているものを採用する。
【０００６】
第４世代（４Ｇ）サービスの導入以来、次の、すなわち第５世代（５Ｇ）の標準にますます多くの関心が向けられてきた。５Ｇは、ＮＲネットワークと呼ばれることもある。３ＧＰＰでは、５Ｇ又はＮＲネットワークの標準化が進行中である。
【発明の概要】
【課題を解決するための手段】
【０００７】
第１の態様によれば、少なくとも１つのプロセッサと、コンピュータプログラムコードを含む少なくとも１つのメモリとを備えた装置であって、少なくとも１つのメモリ及びコンピュータプログラムコードが、少なくとも１つのプロセッサと共に、重複リンクに関連する複数のアクティブセルが全てデアクチベートされたことに応答して前記重複リンクをデアクチベートすることを装置に少なくとも行わせるように構成された、装置が提供される。
【０００８】
少なくとも１つのメモリ及びコンピュータコードは、少なくとも１つのプロセッサと共に、前記重複リンクのデアクチベーションに応答して、前記デアクチベートされた重複リンクに関連するバッファ内のデータをユーザ装置からアクセスポイントに送信することを装置に行わせるように構成することができる。
【０００９】
少なくとも１つのメモリ及びコンピュータコードは、少なくとも１つのプロセッサと共に、前記重複リンクの前記デアクチベーション後に、前記バッファが送信すべきデータを有しているかどうかを判定することを装置に行わせるように構成することができる。
【００１０】
バッファは、前記デアクチベートされた重複リンクに関連する無線リンク制御エンティティに関連することができる。
【００１１】
前記重複リンクには論理チャネルが関連することができ、少なくとも１つのメモリ及びコンピュータコードは、少なくとも１つのプロセッサと共に、前記データが前記論理チャネル上で前記アクセスポイントの前記少なくとも１つのアクティブセルに送信されるように、元々のリンクに関連する少なくとも１つのアクティブセルに前記論理チャネルをマッピングすることを装置に行わせるように構成することができる。
【００１２】
少なくとも１つのアクティブセルは、プライマリセル及びセカンダリセルの少なくとも一方を含むことができる。
【００１３】
少なくとも１つのメモリ及びコンピュータコードは、少なくとも１つのプロセッサと共に、前記デアクチベートされた重複リンクに関連する前記バッファ内の前記データを、このデータが全て送信されるまで、又は前記重複リンクが再アクチベートされるまで送信することを装置に行わせるように構成することができる。
【００１４】
装置は、無線装置内に設けることができる。
【００１５】
別の態様によれば、少なくとも１つのプロセッサと、コンピュータプログラムコードを含む少なくとも１つのメモリとを備えた装置であって、少なくとも１つのメモリ及びコンピュータプログラムコードが、少なくとも１つのプロセッサと共に、重複に関連する複数のアクティブセルが全てデアクチベートされたことに応答して前記重複をデアクチベートすることを装置に少なくとも行わせるように構成された、装置が提供される。
【００１６】
少なくとも１つのメモリ及びコンピュータコードは、少なくとも１つのプロセッサと共に、前記重複のデアクチベーションに応答して、前記デアクチベートされた重複に関連するバッファ内のデータをユーザ装置からアクセスポイントに送信することを装置に行わせるように構成することができる。
【００１７】
少なくとも１つのメモリ及びコンピュータコードは、少なくとも１つのプロセッサと共に、前記重複の前記デアクチベーション後に、前記バッファが送信すべきデータを有しているかどうかを判定することを装置に行わせるように構成することができる。
【００１８】
バッファは、前記デアクチベートされた重複に関連する無線リンク制御エンティティに関連することができる。
【００１９】
前記重複には論理チャネルが関連することができ、少なくとも１つのメモリ及びコンピュータコードは、少なくとも１つのプロセッサと共に、前記データが前記論理チャネル上で前記アクセスポイントの前記少なくとも１つのアクティブセルに送信されるように、元々のリンクに関連する少なくとも１つのアクティブセルに前記論理チャネルをマッピングすることを装置に行わせるように構成することができる。
【００２０】
少なくとも１つのアクティブセルは、プライマリセル及びセカンダリセルの少なくとも一方を含むことができる。
【００２１】
少なくとも１つのメモリ及びコンピュータコードは、少なくとも１つのプロセッサと共に、前記デアクチベートされた重複に関連する前記バッファ内の前記データを、このデータが全て送信されるまで、又は前記重複が再アクチベートされるまで送信することを装置に行わせるように構成することができる。
【００２２】
装置は、無線装置内に設けることができる。
【００２３】
別の態様によれば、重複リンクに関連する複数のアクティブセルが全てデアクチベートされたことに応答して前記重複リンクをデアクチベートするステップを含む、方法が提供される。
【００２４】
方法は、前記重複リンクのデアクチベーションに応答して、前記デアクチベートされた重複リンクに関連するバッファ内のデータがユーザ装置からアクセスポイントに送信されるようにするステップを含むことができる。
【００２５】
方法は、前記重複リンクの前記デアクチベーション後に、前記バッファが送信すべきデータを有しているかどうかを判定するステップを含むことができる。
【００２６】
バッファは、前記デアクチベートされた重複リンクに関連する無線リンク制御エンティティに関連することができる。
【００２７】
前記重複リンクには論理チャネルが関連することができ、前記方法は、前記データが前記論理チャネル上で前記アクセスポイントの前記少なくとも１つのアクティブセルに送信されるように、元々のリンクに関連する少なくとも１つのアクティブセルに前記論理チャネルをマッピングするステップを含むことができる。
【００２８】
アクティブセルは、プライマリセル及びセカンダリセルの一方とすることができる。
【００２９】
方法は、前記デアクチベートされた重複リンクに関連する前記バッファ内の前記データが、このデータが全て送信されるまで、又は前記重複リンクが再アクチベートされるまで送信されるようにするステップを含むことができる。
【００３０】
別の態様によれば、重複リンクに関連する複数のアクティブセルが全てデアクチベートされたことに応答して前記重複をデアクチベートするステップを含む、方法が提供される。
【００３１】
方法は、前記重複のデアクチベーションに応答して、前記デアクチベートされた重複リンクに関連するバッファ内のデータがユーザ装置からアクセスポイントに送信されるようにするステップを含むことができる。
【００３２】
方法は、前記重複の前記デアクチベーション後に、前記バッファが送信すべきデータを有しているかどうかを判定するステップを含むことができる。
【００３３】
バッファは、前記デアクチベートされた重複リンクに関連する無線リンク制御エンティティに関連することができる。
【００３４】
前記重複リンクには論理チャネルが関連することができ、前記方法は、前記データが前記論理チャネル上で前記アクセスポイントの前記少なくとも１つのアクティブセルに送信されるように、元々のリンクに関連する少なくとも１つのアクティブセルに前記論理チャネルをマッピングするステップを含むことができる。
【００３５】
アクティブセルは、プライマリセル及びセカンダリセルの一方とすることができる。
【００３６】
方法は、前記デアクチベートされた重複リンクに関連する前記バッファ内の前記データが、このデータが全て送信されるまで、又は前記重複が再アクチベートされるまで送信されるようにするステップを含むことができる。
【００３７】
別の態様によれば、重複リンクがアクチベートされた時に、利用可能なセルの一部のみを論理チャネルが使用できるようにするステップと、前記重複リンクがデアクチベートされた時に、前記利用可能なセルの全てを論理チャネルが使用できるようにするステップと、を含む方法が提供される。
【００３８】
別の態様によれば、少なくとも１つのプロセッサと、コンピュータプログラムコードを含む少なくとも１つのメモリとを備えた装置であって、少なくとも１つのメモリ及びコンピュータプログラムコードが、少なくとも１つのプロセッサと共に、重複リンクがアクチベートされた時に、利用可能なセルの一部のみを論理チャネルが使用できるようにし、前記重複リンクがデアクチベートされた時に、前記利用可能なセルの全てを論理チャネルが使用できるようにすることを装置に少なくとも行わせるように構成された、装置が提供される。
【００３９】
別の態様によれば、無線ベアラの重複のデアクチベーションに応答して、アクティブなサービングセルのうちのいずれか１つ又は２つ以上にデフォルト論理チャネルがマッピングされるようにするステップを含む方法が提供される。
【００４０】
別の態様によれば、少なくとも１つのプロセッサと、コンピュータプログラムコードを含む少なくとも１つのメモリとを備えた装置であって、少なくとも１つのメモリ及びコンピュータプログラムコードが、少なくとも１つのプロセッサと共に、無線ベアラの重複のデアクチベーションに応答して、アクティブなサービングセルのうちのいずれか１つ又は２つ以上にデフォルト論理チャネルをマッピングすることを装置に少なくとも行わせるように構成された、装置が提供される。
【００４１】
別の態様によれば、関連する無線ベアラの重複がアクチベートされた時に、利用可能なサービングセルの一部のみを論理チャネルが使用できるようにするステップと、関連する無線ベアラの前記重複がデアクチベートされた時に、前記利用可能なサービングセルの全てを論理チャネルが使用できるようにするステップと、を含む方法が提供される。
【００４２】
別の態様によれば、重複がアクチベートされた時に、利用可能なサービングセルの一部のみを論理チャネルが使用できるようにするステップと、前記重複がデアクチベートされた時に、前記利用可能なサービングセルの全てを論理チャネルが使用できるようにするステップと、を含む方法が提供される。
【００４３】
別の態様によれば、少なくとも１つのプロセッサと、コンピュータプログラムコードを含む少なくとも１つのメモリとを備えた装置であって、少なくとも１つのメモリ及びコンピュータプログラムコードが、少なくとも１つのプロセッサと共に、関連する無線ベアラの重複がアクチベートされた時に、利用可能なサービングセルの一部のみを論理チャネルが使用できるようにし、関連する無線ベアラの前記重複がデアクチベートされた時に、前記利用可能なサービングセルの全てを論理チャネルが使用できるようにすることを装置に少なくとも行わせるように構成された、装置が提供される。
【００４４】
別の態様によれば、少なくとも１つのプロセッサと、コンピュータプログラムコードを含む少なくとも１つのメモリとを備えた装置であって、少なくとも１つのメモリ及びコンピュータプログラムコードが、少なくとも１つのプロセッサと共に、重複がアクチベートされた時に、利用可能なサービングセルの一部のみを論理チャネルが使用できるようにし、前記重複がデアクチベートされた時に、前記利用可能なサービングセルの全てを論理チャネルが使用できるようにすることを装置に少なくとも行わせる構成された、装置が提供される。
【００４５】
別の態様によれば、アクセスノードにおいて、重複リンクに関連する複数のセルのうちの少なくとも１つのデアクチベーションによって前記重複リンクをデアクチベートするステップを含む方法が提供される。
【００４６】
別の態様によれば、コンピュータのためのコンピュータプログラム製品であって、コンピュータ上でプログラムが実行された時に上記の態様のうちのいずれかのステップを実行するためのソフトウェアコード部分を含むコンピュータプログラム製品が提供される。
【００４７】
これらの方法を実行するように適合されたプログラムコード手段を含むコンピュータプログラムを提供することもできる。
【００４８】
上記では、多くの異なる実施形態について説明した。上述した実施形態のうちのいずれか２つ又は３つ以上を組み合わせることによってさらなる実施形態を提供することもできると理解されたい。
【００４９】
以下、実施例及び添付図面を参照しながら、いくつかの実施形態をほんの一例としてさらに詳細に説明する。
【図面の簡単な説明】
【００５０】
【図１】無線通信システムの概要例を示す図である。
【図２】通信装置の例を示す図である。
【図３】ユーザ装置における論理チャネルマッピングの例を示す図である。
【図４】ある実施形態の方法フローを示す図である。
【発明を実施するための形態】
【００５１】
実施例を詳細に説明する前に、説明する実施例の基礎となる技術を理解する上で役立つように、図１〜図２を参照しながら無線通信システム及びモバイル通信装置のいくつかの一般的原理について簡単に説明する。
【００５２】
図１に示すような無線通信システム１００では、例えばユーザ装置（ＵＥ）又はＭＴＣ装置１０２、１０４、１０５などの無線通信装置に、少なくとも１つの基地局又は同様の無線送信及び／又は受信無線インフラノード又はポイントを介して無線アクセスが提供される。このようなノードは、例えば基地局又はｅＮｏｄｅＢ（ｅＮＢ）、又は５Ｇシステムの次世代ＮｏｄｅＢ（ｇＮＢ）、或いはその他の無線インフラノードとすることができる。これらのノードは、一般に基地局と呼ばれる。通常、基地局は、少なくとも１つの適切なコントローラ装置によって、基地局の動作、及び基地局と通信するモバイル通信装置の管理を可能にするように制御される。コントローラ装置は、無線アクセスネットワーク（例えば、無線通信システム１００）内、又はコアネットワーク（ＣＮ）（図示せず）内に位置し、１つの中央装置として実装することも、或いはその機能を複数の装置に分散させることもできる。コントローラ装置は、基地局の一部とすることも、及び／又は制御ユニット（ＣＵ）などの独立エンティティによって提供することもできる。図１には、それぞれのマクロレベル基地局１０６及び１０７を制御する制御装置１０８及び１０９を示す。これに加えて、又はこれとは別に、システムによっては、制御装置をＣＵ内に設けることもできる。他の無線アクセスシステムの例としては、５Ｇ又は新無線（ｎｅｗ  ｒａｄｉｏ）、無線ローカルエリアネットワーク（ＷＬＡＮ）、及び／又はＷｉｍａｘ（ワールドワイド・インターオペラビリティ・フォー・マイクロウェーブ・アクセス）などの技術に基づくシステムの基地局によって提供されるものが挙げられる。基地局は、セル又は同様の無線サービスエリア全体のカバレッジを提供することができる。
【００５３】
図１には、基地局１０６及び１０７を、ゲートウェイ１１２を介してさらに広い通信ネットワーク１１３に接続されているように示す。さらなるゲートウェイ機能を提供して別のネットワークに接続することもできる。
【００５４】
また、例えば独立したゲートウェイ機能によって、及び／又はマクロレベル基地局のコントローラを通じて、小型基地局１１６、１１８及び１２０をネットワーク１１３に接続することもできる。基地局１１６、１１８及び１２０は、ピコレベル基地局又はフェムトレベル基地局などとすることができる。この例では、基地局１１６と１１８がゲートウェイ１１１を介して接続され、基地局１２０がコントローラ装置１０８を介して接続している。いくつかの実施形態では、小型局を提供しないこともできる。
【００５５】
次に、通信装置２００の概略的部分断面図である図２を参照しながら、考えられる無線通信装置についてさらに詳細に説明する。このような通信装置は、しばしばユーザ装置（ＵＥ）又はユーザ端末と呼ばれる。適切なモバイル通信装置は、無線信号を送受信できるいずれかの装置によって提供することができる。非限定的な例として、携帯電話機又は「スマートホン」として知られているものなどの移動局（ＭＳ）又はモバイル装置、無線インターフェイスカード又はその他の無線インターフェイス機能（例えば、ＵＳＢドングル）を有するコンピュータ、無線通信能力を有する携帯情報端末（ＰＤＡ）又はタブレット、或いはこれらのいずれかの組み合わせなどが挙げられる。モバイル通信装置は、例えば、音声、電子メール（ｅメール）、テキストメッセージ及びマルチメディアなどの、通信を運ぶデータの通信を行うことができる。従って、ユーザの通信装置を介して数多くのサービスをユーザに提案し、提供することができる。これらのサービスの非限定的な例としては、双方向又は多方向通話、データ通信又はマルチメディアサービス、或いは単純にインターネットなどのデータ通信ネットワークシステムへのアクセスが挙げられる。ユーザにブロードキャストデータ又はマルチキャストデータを提供することもできる。これらのコンテンツの非限定的な例としては、ダウンロード、テレビ番組及びラジオ番組、ビデオ、広告、様々な警告及びその他の情報が挙げられる。
【００５６】
無線通信装置は、例えばモバイル装置、すなわち特定の位置に固定されない装置とすることも、或いは固定装置とすることもできる。無線装置は、通信のために人間の相互作用を必要とすることも、或いは通信のために人間の相互作用を必要としないこともできる。本教示では、ＵＥ又は「ユーザ」という用語を、あらゆるタイプの無線通信装置を意味するために使用する。
【００５７】
無線装置２００は、受信に適した装置を通じてエアインターフェイス又は無線インターフェイス２０７を介して信号を受け取り、無線信号の送信に適した装置を通じて信号を送信することができる。図２には、トランシーバ装置をブロック２０６によって概略的に示す。トランシーバ装置２０６は、例えば無線部分と、関連するアンテナ配列とによって提供することができる。アンテナ配列は、無線装置の内部又は外部に配置することができる。
【００５８】
通常、無線装置は、少なくとも１つのデータ処理エンティティ２０１と、少なくとも１つのメモリ２０２と、アクセスシステム及び他の通信装置へのアクセス、並びにこれらとの間の通信の制御を含む、ソフトウェア及びハードウェア支援による実行対象のタスクの実行において使用される他の可能なコンポーネント２０３とを有する。データ処理装置、記憶装置、及びその他の関連する制御装置は、適切な回路基板上及び／又はチップセット内に設けることができる。この特徴部を、参照符号２０４によって示す。ユーザは、キーパッド２０５、音声コマンド、タッチセンサ式スクリーン又はパッド、或いはこれらの組み合わせなどの好適なユーザインターフェイスを用いて無線装置の動作を制御することができる。ディスプレイ２０８、スピーカ及びマイクを設けることもできる。さらに、無線通信装置は、他の装置への、及び／又は他の装置にハンズフリー装置などの外部アクセサリを接続するための（有線又は無線を問わず）適切なコネクタを有することもできる。通信装置１０２、１０４、１０５は、様々なアクセス技術に基づいて通信システムにアクセスすることができる。
【００５９】
無線通信システムの一例に、第３世代パートナーシッププロジェクト（３ＧＰＰ）によって標準化されたアーキテクチャがある。最新の３ＧＰＰベースの開発は、しばしばユニバーサル移動体通信システム（ＵＭＴＳ）無線アクセス技術のロングタームエボリューション（ＬＴＥ）と呼ばれる。３ＧＰＰ  ＬＴＥ仕様の様々な開発段階はリリースと呼ばれる。ＬＴＥの最新の開発は、しばしばＬＴＥアドバンスト（ＬＴＥ−Ａ）と呼ばれる。ＬＴＥは、進化型ユニバーサル地上波無線アクセスネットワーク（Ｅ−ＵＴＲＡＮ）として知られているモバイルアーキテクチャを使用する。このようなシステムの基地局は、進化型又は強化型ＮｏｄｅＢ（ｅＮＢ）として知られており、ユーザプレーンパケットデータ収束／無線リンク制御／媒体アクセス制御／物理層プロトコル（ＰＤＣＰ／ＲＬＣ／ＭＡＣ／ＰＨＹ）終端、及び通信装置に向かう制御プレーン無線リソース制御（ＲＲＣ）プロトコル終端などのＥ−ＵＴＲＡＮ機能を提供する。無線アクセスシステムの他の例としては、無線ローカルエリアネットワーク（ＷＬＡＮ）及び／又はＷｉＭａｘ（ワールドワイド・インターオペラビリティ・フォー・マイクロウェーブ・アクセス）などの技術に基づく、システムの基地局によって提供されるものが挙げられる。基地局は、セル全体又は同様の無線サービスエリアにカバレッジを提供することができる。
【００６０】
通信システムの別の例は５Ｇシステムである。５Ｇのネットワークアーキテクチャは、ＬＴＥ−Ａｄｖａｎｃｅｄのものと極めて類似することができる。ネットワークアーキテクチャの変更は、様々な無線技術をサポートする必要性及び細かなＱｏＳサポート、並びに、例えばユーザ視点のＱｏＥをサポートするＱｏＳレベルのためのいくつかのオンデマンド要件に依存することができる。また、ネットワークを意識したサービス及びアプリケーション、並びにサービス及びアプリケーションを意識したネットワークがアーキテクチャに変化をもたらすこともできる。これらは、情報指向ネットワーク（ＩＣＮ）アプローチ、及びユーザ指向コンテンツ配信ネットワーク（ＵＣ−ＣＤＮ）アプローチに関連する。５Ｇは、小型局と協働するマクロサイトを含み、場合によっては改善されたカバレッジ及びデータレート向上のための様々な無線技術も採用して、多入力多出力（ＭＩＭＯ）アンテナ、ＬＴＥよりも多くの基地局又はノード（いわゆるスモールセルコンセプト）を使用することができる。
【００６１】
５Ｇの基地局は、ｇＮＢと呼ぶことができる。
【００６２】
いくつかの実施形態では、キャリアアグリゲーション及び／又はデュアルコネクティビティがリンクの重複と併用される。
【００６３】
いくつかの実施形態は、ＰＤＣＰ（パケットデータ層収束プロトコル）重複機能に関連する。いくつかの実施形態は、重複に対するＳＣｅｌｌ（セカンダリセル）デアクチベーションの暗示に関連することができる。
【００６４】
ＲＲＣ（無線リソース制御）は、重複のためのＰＤＣＰ及びＵＥの無線プロトコルに別個のＲＬＣ（無線リンク制御）エンティティ及び論理チャネルＬＣＨを構成して重複を処理することができる（「レッグ」と呼ばれる）。
【００６５】
ＰＤＣＰ重複のためには、１つの追加レッグのみを構成することができる。
【００６６】
いくつかの実施形態では、元々のＰＤＣＰ  ＰＤＵ（パケットデータユニット）と対応する重複とを同じトランスポートブロックＴＢ上で送信しないことができる。
【００６７】
ＣＡ（キャリアアグリゲーション）の場合、同じキャリア上でのＰＤＣＰ重複が、これらが同じトランスポートブロック上で送信されるのを防ぐための制約付きでサポートされることもある。これらのＰＤＣＰ重複は、異なるキャリア上で送信することができる。他の実施形態では、このような制約が存在しないこともある。
【００６８】
ＣＡのためのＰＤＣＰ重複ソリューションは、１つのＭＡＣエンティティしか必要としない。
【００６９】
１つのＭＡＣエンティティ（ＣＡ）内で重複を処理するために、論理チャネルマッピング制約を提供することができる。
【００７０】
ＵＬ（アップリンク）ＰＤＣＰ重複はＤＲＢ（データ無線ベアラ）毎に構成することができ、ＮＲ−ＮＲ（新無線−新無線）ＤＣ（デュアルコネクティビティ）ではＳＲＢ（シグナリング無線ベアラ）毎に構成することができる。
【００７１】
ＵＬ  ＰＤＣＰ重複の初期状態（重複がアクティブであるか、それとも非アクティブであるか、アクティブでない場合にはどのレッグを使用するか）は、デフォルトとすることも、及び／又はＲＲＣによってシグナリングすることもできる。
【００７２】
ＲＲＣ再構成と比べて迅速に及び／又は少ないシグナリングオーバーヘッドでＰＤＣＰ重複を開始／停止するための機構を提供することができる。
【００７３】
ＵＬ重複の制御には、ＭＡＣ  ＣＥ（媒体アクセス制御制御要素）アプローチを使用することができる。
【００７４】
ＣＡの場合の重複では、シングルキャリア上の重複をサポートしなくてもよいことが提案されている。異なるキャリアに対する２つのＬＣＨのＲＲＣ構成マッピングをサポートすることができる。いくつかの実施形態では、１つのキャリアが両ＬＣＨからのマッピングを受けなくてもよい。重複したＰＤＣＰ  ＰＤＵは、２つの異なるＲＬＣエンティティに提出することができる。
【００７５】
ＮＲ  ＣＡでは、ＳＣｅｌｌのアクチベーション／デアクチベーションをサポートすべきであることが提案されている。ＬＴＥの場合と同様に、ＮＲ  ＣＡでは、明示的な指示及び非明示的な機構によってアクチベーション／デアクチベーションをＣＣ（コンポーネントキャリア）毎に制御することができる。
【００７６】
ＮＲ  ＣＡでは、非明示的なデアクチベーション機構の構成をＣＣ毎とすることができる。
【００７７】
以上のように、特定のＬＣＨ（もう一方の複製）は、ＵＥのために構成された一連のキャリアのうちの特定の（単複の）キャリア上にマッピングされるように構成することができる。さらに、ＮＲ  ＣＡでは、ＬＴＥにおいてサポートされていたように明示的及び／又は非明示的な機構に基づいてＳＣｅｌｌのデアクチベーションをサポートすることができる。
【００７８】
いくつかの実施形態は、重複ＬＣＨがマッピングされていてＬＣＨをマッピングすべき他のＳＣｅｌｌ／キャリアが存在しないＳＣｅｌｌデアクチベーション時のＵＥ挙動に対処することができる。
【００７９】
１又は複数のＳＣｅｌｌがデアクチベートされる場合について検討する。このデアクチベーションは、ＮＷがＭＡＣ制御要素を使用して明示的に、ＣＡデアクチベーションタイマの満了に起因して非明示的に、又は他のいずれかの方法で行うことができる。いくつかの実施形態では、重複が構成されアクチベートされた無線ベアラについて、重複のために構成された（単複の）ＬＣＨの考えられるデータマッピングのために構成されたＰＣｅｌｌ／ＳＣｅｌｌがいずれもアクティブでないという理由でこれらのＬＣＨを全く送信できない場合、この無線ベアラの重複がデアクチベートされる。
【００８０】
ＤＣの場合には、（ＰＣｅｌｌ及びＳＣｅｌｌの両方を含む）ＳＣＧセル全体が全てデアクチベートされた時にのみ重複をデアクチベートすべきである。
【００８１】
いくつかの実施形態では、重複が構成されアクチベートされた無線ベアラについて、重複のために構成された（単複の）ＬＣＨの考えられるデータマッピングのために構成されたＳＣｅｌｌがいずれもアクティブでないという理由でこれらのＬＣＨの一方を送信できない場合、この無線ベアラの重複がデアクチベートされる。重複のためには、１つのＬＣＨのみが存在することができる。
【００８２】
いくつかの実施形態では、ネットワーク又は他のいずれかの好適なエンティティが、無線ベアラのデフォルトＬＣＨ、すなわち重複のために構成されたものではない（単複の）ＬＣＨをアクティブセルに確実にマッピングできるようにすることができる。デフォルトＬＣＨをどのＳＣｅｌｌにもマッピングできない事象が発生した場合、ＵＥがデフォルトＬＣＨをＰＣｅｌｌにマッピングできるようにすることができる。これには、この無線ベアラのＬＣＨがいずれもＰＣｅｌｌにマッピングされないようにすることが必要となり得る。他の実施形態では、両ＬＣＨを一時的に同じＰＣｅｌｌにマッピングすることもできる。
【００８３】
論理チャネルに関して言えば、重複のデアクチベーション後にＵＥ内のＲＬＣエンティティが依然として送信すべきデータを（例えば、再送バッファ内に）有している場合、このバッファが空になるまで（単複の）ＬＣＨがＭＡＣエンティティのいずれかのアクティブなサービングセルにマッピングされるようにすることができる。いくつかの実施形態では、この場合（すなわち、重複がデアクチベートされた時に）、ＵＬグラントの異なるｎｕｍｅｒｏｌｏｇｙ／ＴＴＩ（伝送時間間隔）長に起因するマッピング制約を適用することも又はしないこともできる。
【００８４】
この理由は、重複もデアクチベートされているためバッファ内の残りのデータが有用でない恐れがあるからであり、従ってこのデータはピアＲＬＣエンティティを同期させるために必ず送信すべきである。
【００８５】
特定のｎｕｍｅｒｏｌｏｇｙ／ＴＴＩ長に対する論理チャネルマッピング制約は、ＮＷによって構成することができる。例えば、ＬＣＨで運ばれるサービスが一定のレイテンシを必要とする場合には、これを短いＴＴＩ長に、又は大きなサブキャリア間隔を有するｎｕｍｅｒｏｌｏｇｙにマッピングすることができる。
【００８６】
１つの実施形態では、ＵＥが、特定の無線ベアラの非明示的な重複デアクチベーションの事象をＮＷに示すことができ、又はＵＥをこのように構成することができる。この指示は、例えばＭＡＣ  ＣＥ又はＲＲＣプロトコルメッセージの形を取ることができる。
【００８７】
これにより、例えば以前に重複をデアクチベートしようと試みたＤＬ  ＭＡＣ  ＣＥが失われた結果としてＵＥ内で発生した全てのことをＮＷが把握しているわけではないいくつかのエラーシナリオに対処することができる。
【００８８】
図３に、ＵＥ内の重複ベアラのための論理チャネルマッピングのシナリオ例を示す。共通のＰＤＣＰ７００には、無線ベアラの「デフォルトＬＣＨ又はオリジナルＬＣＨ」を示すオリジナルＲＬＣ７０２が提供される。さらなるＲＬＣは、重複のために構成されたＬＣＨを示す。
【００８９】
ＭＡＣ層は、デフォルトＬＣＨ及び重複をスケジュールするように提供されたスケジューリング及び優先処理機能７０６を含む。ＭＡＣ層は、一方がオリジナルＲＬＣに関連して一方が重複ＲＬＣに関連する２つの多重化機能７０８も含む。或いは、ＭＡＣ層は、オリジナルＲＬＣ及び重複ＲＬＣの両方に関連する１つの多重化機能７０８のみを含むこともできる。最後に、ＭＡＣ層は、サービングセル毎に１つずつの４つのＨＡＲＱ機能７１０を含む。これらのＨＡＲＱ機能のうちの２つは多重化機能の一方に関連し、他の２つは多重化機能の他方に関連する。
【００９０】
ＰＣｅｌｌ７１２は、ＨＡＲＱ機能のうちの１つに関連する。ＰＣｅｌｌ７１２は、第１のＳＣｅｌｌ７１４と共に、オリジナルＲＬＣに関連する。第１のＳＣｅｌｌ７１４は、ＨＡＲＱ機能のうちのそれぞれ１つに関連する。
【００９１】
第２及び第３のＳＣｅｌｌ７１６及び７１８は、それぞれＨＡＲＱ機能に関連する。第２及び第３のＳＣｅｌｌ７１６及び７１８は、さらなるＲＬＣに関連する。
【００９２】
ＳＣｅｌｌデアクチベーション機能では、第２及び第３のＳＣｅｌｌ７１６及び７１８がデアクチベートされた場合、いくつかの実施形態によれば、さらなるＲＬＣエンティティからのデータをどのＳＣｅｌｌにもマッピングすることができず、重複がデアクチベートされる。
【００９３】
いくつかの実施形態では、ＲＬＣバッファが空になるまで、或いは第２又は第３のＳＣｅｌｌのいずれかが再びアクチベートされることによって再び重複がアクチベートされるまで、さらなるＲＬＣエンティティが残りのデータ（例えば、再送バッファデータ）をＰＣｅｌｌ及び／又は第１のＳＣｅｌｌ７１４にマッピングできるようにすることができる。重複は、ネットワークエンティティがＳＣｅｌｌアクチベーションとは別のＤＬ  ＭＡＣ  ＣＥを用いてアクチベートすることができる。
【００９４】
いくつかの実施形態は、重複のデアクチベーションがＳＣｅｌｌのデアクチベーションに関連してオーバーヘッドを節約するとともに、重複は既にデアクチベートされたが対応するコマンドが失われた場合の考えられるエラーシナリオを克服するという利点を有することができる。
【００９５】
重複がデアクチベートされる（例えば、さらなるリンクに関連する（単複の）ＬＣＨがデアクチベートされる）と、元々のリンクに関連するデフォルトＬＣＨは、この例ではＰＣｅｌｌ７１２及びＳＣｅｌｌ７１４しか使用することができず、すなわちたとえ重複を使用しない場合であっても、デフォルトＬＣＨにフルスケジューリングの柔軟性はない。
【００９６】
いくつかの実施形態では、重複がデアクチベートされると、元々のリンクに関連するＬＣＨがあらゆるサービングセルを使用することができる。重複がアクチベートされると、元々のリンクに関連するＬＣＨを、このＬＣＨを使用できるサービングセルに関して制限することができる。この制限は、重複がアクチベートされた時にのみ適用することができる。アクチベーション後の伝送期間中には、両ＬＣＨからのいくつかのＰＤＣＰ  ＰＤＵが同じサービングセルに行き着くこともあるが、これによって深刻な問題が生じることはないと考えられる。例えば、重複がアクチベートされると、元々のリンクに関連するデフォルトＬＣＨはＰＣｅｌｌ７１２及びＳＣｅｌｌ１  ７１４にマッピングされ、他方のＬＣＨはＳＣｅｌｌ２  ７１６及びＳＣｅｌｌ３  ７１８にマッピングされる。重複がデアクチベートされてもはや他方のＬＣＨを使用しない場合、デフォルトＬＣＨは、あらゆるアクティブなサービングセル、すなわちＰＣｅｌｌ７１２、ＳＣｅｌｌ１  ７１４、ＳＣｅｌｌ２  ７１６、ＳＣｅｌｌ３  ７１８にマッピングされて、重複がデアクチベートされた時には常にデフォルトＬＣＨにフルスケジューリングの柔軟性が可能になり、すなわち重複が全く構成されない場合と同じ柔軟性が存在するようにすることができる。
【００９７】
ユーザ装置における方法を示す図４を参照する。
【００９８】
ステップＳ１において、重複リンクがデアクチベートされたかどうかを判定する。いくつかの実施形態では、この判定が、重複リンクに関連する全てのセルがデアクチベートされたかどうかを判定することによって行われる。これらのセルは、ＰＣｅｌｌ又はＳＣｅｌｌとすることができる。図３の例では、第２及び第３のＳＣｅｌｌがいずれもデアクチベートされたと判定される場合、重複リンクがデアクチベートされたと判定することができる。
【００９９】
ステップＳ２において、さらなるＲＬＣバッファ、すなわちさらなるリンク又は重複リンクに関連するバッファに、ｇＮＢに送信すべきデータが残っているかどうかを判定する。
【０１００】
残っていない場合、方法はステップＳ３において終了する。
【０１０１】
残っている場合、次のステップであるステップＳ４において、アクティブなリンクに関連するどのセルに重複リンクのＬＣＨをマッピングすべきであるかを決定する。図３の例では、このセルがＰＣｅｌｌ又は第１のＳＣｅｌｌの一方になる。図３に示す例では、さらなるＲＬＣバッファからのデータがスケジューリング／優先処理部に供給され、ここからこのデータの少なくとも一部をオリジナルＲＬＣリンク、すなわち非重複リンクに関連するマルチプレクサに転送する。
【０１０２】
ステップＳ５において、さらなるＲＬＣバッファ内のデータをバッファ内にデータがなくなるまで送信する。いくつかの実施形態では、データの一部のみを送信することもできる。
【０１０３】
一般に、様々な実施形態は、ハードウェア又は専用回路、ソフトウェア、ロジック、又はこれらのいずれかの組み合わせで実装することができる。本発明のいくつかの態様をハードウェアで実装する一方で、他の態様をコントローラ、マイクロプロセッサ、又はその他のコンピュータ装置によって実行できるファームウェア又はソフトウェアで実装することもできるが、本発明はそのように限定されるものではない。本発明の様々な態様は、ブロック図、フロー図として図示し説明していることも、又は他の何らかの図形表示を用いて図示し説明していることもあるが、本明細書で説明したこれらのブロック、装置、システム、技術又は方法は、非限定的な例として、ハードウェア、ソフトウェア、ファームウェア、専用回路又はロジック、汎用ハードウェア又はコントローラ又はその他のコンピュータ装置、或いはこれらの何らかの組み合わせで実装することもできると十分に理解されたい。
【０１０４】
本発明の実施形態は、プロセッサエンティティなどのモバイル装置のデータプロセッサによって実行可能なコンピュータソフトウェアによって実装することも、又はハードウェアによって実装することも、或いはソフトウェアとハードウェアとの組み合わせによって実装することもできる。ソフトウェアルーチン、アプレット及び／又はマクロを含む、プログラム製品とも呼ばれるコンピュータソフトウェア又はプログラムは、いずれかの装置可読データ記憶媒体に記憶することができ、これらは特定のタスクを実行するためのプログラム命令を含む。コンピュータプログラム製品は、プログラムの実行時に実施形態を実行するように構成された１又は２以上のコンピュータ実行可能要素を含むことができる。１又は２以上のコンピュータ実行可能要素は、少なくとも１つのソフトウェアコード又はその一部とすることができる。
【０１０５】
さらに、この点に関し、図中のロジックフローのあらゆるブロックは、プログラムステップ、相互に接続された論理回路、ブロック及び機能、又はプログラムステップと論理回路、ブロック及び機能との組み合わせを表すことができる。ソフトウェアは、メモリチップ、又はプロセッサ内に実装されるメモリブロックなどの物理的媒体、ハードディスク又はフロッピーディスクなどの磁気媒体、並びに、例えばＤＶＤ及びそのデータ変種であるＣＤなどの光学媒体に記憶することができる。物理媒体は、非一時的媒体である。
【０１０６】
メモリは、ローカル技術環境に適したいずれのタイプのものであってもよく、半導体ベースの記憶装置、磁気記憶装置及びシステム、光記憶装置及びシステム、固定メモリ及び取り外し可能メモリなどのあらゆる好適なデータ記憶技術を用いて実装することができる。データプロセッサは、ローカル技術環境に適したいずれのタイプのものであってもよく、非限定的な例として、１又はそれ以上の汎用コンピュータ、専用コンピュータ、マイクロプロセッサ、デジタルシグナルプロセッサ（ＤＳＰ）、特定用途向け集積回路（ＡＳＩＣ）、ＦＰＧＡ、ゲートレベル回路、及びマルチコアプロセッサアーキテクチャに基づくプロセッサを挙げることができる。
【０１０７】
本発明の実施形態は、集積回路モジュールなどの様々なコンポーネントにおいて実施することができる。集積回路の設計は、概して高度に自動化されたプロセスである。論理レベルの設計を半導体基板上へのエッチング及び形成が可能な状態の半導体回路設計に変換する複雑かつ強力なソフトウェアツールが利用可能である。
【０１０８】
上記の説明では、本発明の例示的な実施形態の完全かつ有益な説明を非限定的な例として行った。しかしながら、上述の説明を添付図面及び添付の特許請求の範囲と併せて読めば、当業者には様々な修正及び適応が明らかになるであろう。しかしながら、添付の特許請求の範囲に定める本発明の範囲には、本発明の教示のこのような及び同様の全ての修正も含まれる。実際に、１又は２以上の実施形態を上述した他の実施形態のいずれかと組み合わせたものを含むさらなる実施形態も存在する。
【符号の説明】
【０１０９】
７００  ＰＤＣＰ
７０２  オリジナルＲＬＣ
７０４  さらなるＲＬＣ
７０６  スケジューリング／優先処理
７０８  多重化
７１０  ＨＡＲＱ
７１２  ＰＣｅｌｌ
７１４  ＳＣｅｌｌ１
７１６  ＳＣｅｌｌ２
７１８  ＳＣｅｌｌ３
【図１】
0006891303.tif 000002
【図２】
0006891303.tif 000003
【図３】
0006891303.tif 000004
【図４】
0006891303.tif 000005